(57)【要約】【課題】基板を収納した保護ケースの支柱部内挿入、固定時に、組み立て作業性の良い扇風機を提供することを目的とする。【解決手段】表示ケース５１を下支柱部４の底の開口６３から下支柱部４の中空内に挿入し、表示ケース５１を当てに当てて位置決めし、当てと底蓋とで固定するという構成にしたことにより、表示ケース５１の挿入側から表示ケース５１の位置決めと固定とができ、組み立て作業性の良い扇風機１を提供できることとなる。【選択図】図１４
2014206157.tif 000002
【特許請求の範囲】
【請求項１】
送風する羽根と、前記羽根を駆動するモータと、前記羽根と前記モータを支持する中空形状の支柱部と、前記支柱部を支持し前記支柱部と着脱自在に固定される基台と、運転状態を発光により表示する表示ケースと、前記支柱部の正面に備えられた運転状態を表示する運転表示部を備え、前記支柱部は中空形状の上支柱部と中空形状の下支柱部を備え、前記下支柱部は前記上支柱部を上下動可能に支持し、前記下支柱部の底面に中空の前記下支柱部の開口の蓋をする底蓋を備え、前記表示ケースは前記表示ケースの前面側に設けた複数の発光体と前記複数の発光体への配線を備え、前記下支柱部の中空内に前記下支柱部の開口から挿入された前記表示ケースを当てる当てを備え、前記運転表示部は前記発光体の光が透過可能で前記複数の発光体と１対１で対応する複数の窓を備え、前記下支柱部の中空内に前記表示ケースを前記下支柱部の開口から挿入して前記表示ケースの複数の発光体の位置とそのそれぞれの発光体に１対１で対応する前記運転表示部の複数の窓との位置が一致するようにして、前記下支柱部の中空内に挿入された前記表示ケースを前記下支柱部に固定する扇風機。
【請求項２】
表示ケースの背面側にモータへの電力を供給するモータ電線を通す電線空間部を備え、前記下支柱部を支持する基台を備え、前記下支柱部と前記基台は着脱自在に固定され、前記電線空間部は、モータ電線の上支柱部の上下動による自重での弛みおよび引き出しが自在化するようにしたことを特徴とする請求項１に記載の扇風機。
【請求項３】
下支柱部は下端で垂直な下支柱部と直角方向に中空状の足を備え、前記足内に扇風機の電力を供給する電源部を備え、前記電源部にモータ電線が連結され、上支柱部の上下動の上限時に、前記下支柱部の底にモータ電線が自重で垂れ下がった請求項１または２に記載の扇風機。
【請求項４】
電線空間部における表示ケースの背面と支柱部の背面側の内面との距離はモータ電線の直径寸法より大きく、前記モータ電線の直径の２倍の寸法より小さく、前記支柱部の中空の横幅は前記モータ電線の３〜５倍であることを特徴とする請求項１乃至３のいずれかに記載の扇風機。
【請求項５】
表示ケースの背面から突出すると共に鉛直方向へ伸びる板形状のガイドを備え、前記ガイドの鉛直方向の寸法は、前記表示ケースの鉛直方向の寸法と実質同じであることを特徴とする請求項１乃至４のいずれかに記載の扇風機。
【請求項６】
前記上支柱部の下部にフランジを備え、前記フランジは、凹枠体内に摺動可能に装着され、前期凹枠体は、前記下支柱部内に内包するように備えられ、前記凹枠体の下端には、停止壁を備え、前記停止壁と前記表示ケースの反床面側の壁を接触させたことを特徴とする請求項１乃至５のいずれかに記載の扇風機。
【発明の詳細な説明】
【技術分野】
【０００１】
本発明は、運転状態を表示する表示ケースを支柱内に収納して使用する扇風機に関するものである。
【背景技術】
【０００２】
従来、この種の扇風機は、支柱の上端に開孔部を備え、この開孔部より基板を収納した保護ケースを挿入し、挿入側と反対側の支柱内で保護ケースをねじ止め固定する。表示用ＬＥＤを基板の長手方向の縁端に所定間隔で一列にはんだ付け固定し、保護ケース、支柱の前面に設けた小孔を通して表示用ＬＥＤの発光が支柱より前方に送られるようになっている（例えば、特許文献１参照）。
【先行技術文献】
【特許文献】
【０００３】
【特許文献１】特開平１０−０６１５８８号公報
【発明の概要】
【発明が解決しようとする課題】
【０００４】
このような従来の扇風機においては、支柱の上端の開孔部より基板を収納した保護ケースを挿入し、挿入側と反対側の支柱内の当てに保護ケースを当てて位置決めし、その位置決めした当てにねじ止め固定する構成となっていた。
【０００５】
したがって、作業性の良い挿入側での固定ではなく、挿入後手等で固定しながら基板を収納した保護ケースを当てに当てて位置決めし、その当てに、挿入側と反対側からネジ止め固定しなければならず、組み立て作業性に劣るという課題を有していた。
【０００６】
そこで本発明は、上記従来の課題を解決するものであり、基板を収納した保護ケースの支柱内挿入、固定時に組み立て作業性の良い扇風機を提供することを目的とする。
【課題を解決するための手段】
【０００７】
そして、この目的を達成するために、本発明は、送風する羽根と、前記羽根を駆動するモータと、前記羽根と前記モータを支持する中空形状の支柱部と、前記支柱部を支持し前記支柱部と着脱自在に固定される基台と、運転状態を発光により表示する表示ケースと、前記支柱部の正面に備えられた運転状態を表示する運転表示部を備え、前記支柱部は中空形状の上支柱部と中空形状の下支柱部を備え、前記下支柱部は前記上支柱部を上下動可能に支持し、前記下支柱部の底面に中空の前記下支柱部の開口の蓋をする底蓋を備え、前記表示ケースは前記表示ケースの前面側に設けた複数の発光体と前記複数の発光体への配線を備え、前記下支柱部の中空内に前記下支柱部の開口から挿入された前記表示ケースを当てる当てを備え、前記運転表示部は前記発光体の光が透過可能で前記複数の発光体と１対１で対応する複数の窓を備え、前記下支柱部の中空内に前記表示ケースを前記下支柱部の開口から挿入して前記表示ケースの複数の発光体の位置とそのそれぞれの発光体に１対１で対応する前記運転表示部の複数の窓との位置が一致するようにして、前記下支柱部の中空内に挿入された前記表示ケースを前記下支柱部に固定したものである。
【０００８】
これにより、表示ケースを当てに当てて位置決めし、前記下支柱部に固定することで、組み立て作業性の良い扇風機を提供できるものである。
【発明の効果】
【０００９】
本発明によれば、表示ケースを下支柱部の開口から下支柱部の中空内に挿入し、表示ケースを当てに当てて位置決めし、前記下支柱部に固定ことにより、表示ケースの挿入側から表示ケースの位置決めと固定とができ、組み立て作業性の良い扇風機を提供できるものである。
【図面の簡単な説明】
【００１０】
【図１】本発明の実施の形態１の扇風機の外形を示す外形側面図
【図２】同中空支柱内を示す側断面図
【図３】同モータ部内およびモータホルダー内を示す側断面図
【図４】同モータ部およびモータホルダーの外形を示す外形斜視図
【図５】同モータホルダーの外形を示す外形斜視図
【図６】同モータフロントプレートの外形を示す外形斜視図
【図７】同モータカバーおよびモータカバーロウの外形を示す外形側面図
【図８】同モータカバーの外形を示す外形斜視図
【図９】同モータカバーおよびモータカバーロウの外形を下方から示す外形斜視図
【図１０】同モータ部の外形を後方から示す外形斜視図
【図１１】同中空下支柱部内を示す側断面図
【図１２】同運転表示部を示す外形斜視図
【図１３】同表示ケース部を示す分解斜視図
【図１４】同第一下支柱部の開口を下方から示す外形斜視図
【図１５】同第一下支柱部の開口に表示ケース部が挿入される状態を示す外形斜視図
【図１６】本発明の実施の形態２の上支柱部のスライド機構に関する詳細分解図
【図１７】同中空支柱内を示す側断面図
【発明を実施するための形態】
【００１１】
本発明の請求項１記載の扇風機は、送風する羽根と、前記羽根を駆動するモータと、前記羽根と前記モータを支持する中空形状の支柱部と、前記支柱部を支持し前記支柱部と着脱自在に固定される基台と、運転状態を発光により表示する表示ケースと、前記支柱部の正面に備えられた運転状態を表示する運転表示部を備え、前記支柱部は中空形状の上支柱部と中空形状の下支柱部を備え、前記下支柱部は前記上支柱部を上下動可能に支持し、前記下支柱部の底面に中空の前記下支柱部の開口の蓋をする底蓋を備え、前記表示ケースは前記表示ケースの前面側に設けた複数の発光体と前記複数の発光体への配線を備え、前記下支柱部の中空内に前記下支柱部の開口から挿入された前記表示ケースを当てる当てを備え、前記運転表示部は前記発光体の光が透過可能で前記複数の発光体と１対１で対応する複数の窓を備え、前記下支柱部の中空内に前記表示ケースを前記下支柱部の開口から挿入して前記表示ケースの複数の発光体の位置とそのそれぞれの発光体に１対１で対応する前記運転表示部の複数の窓との位置が一致するようにして、前記下支柱部の中空内に挿入された前記表示ケースを前記下支柱部に固定するという構成を有する。
【００１２】
これにより、表示ケースを下支柱部の開口から下支柱部の中空内に挿入し、表示ケースを当てに当てて位置決めし、下支柱部に固定することにより、表示ケースの挿入側から表示ケースの位置決めと固定とができ、組み立て作業性の良い扇風機を提供できるという効果を奏する。
【００１３】
また、表示ケースの背面側にモータへの電力を供給するモータ電線を通す電線空間部を備え、前記下支柱部を支持する基台を備え、前記下支柱部と前記基台は着脱自在に固定され、前記電線空間部は、モータ電線の上支柱部の上下動による自重での弛みおよび引き出しが自在化するようにしたという構成にしてもよい。
【００１４】
これにより、上支柱の上下動、すなわち羽根の上下動に合わせて、スムースなモータ電線の自重による下方への弛みと上方への引き出しが可能になるという効果を奏する。
【００１５】
また、下支柱部は下端で垂直な下支柱部と直角方向に中空状の足を備え、前記足内に扇風機の電力を供給する電源部を備え、
前記電源部にモータ電線が連結され、上支柱部の上下動の上限時に、前記下支柱部の底にモータ電線が自重で垂れ下がったという構成にしてもよい。
【００１６】
これにより、上支柱部の上下動の上限時、すなわちモータの上下動の上限時に、モータに電力を供給するモータ電線が下支柱部の底に自重で垂れ下がっており、中空の下支柱部と中空の足をつなぐ角の上の角でこすれ難くなる扇風機を提供できるものである。
【００１７】
また、電線空間部における表示ケースの背面と支柱の背面側の内面との距離はモータ電線の直径寸法より大きく、前記モータ電線の直径の２倍の寸法より小さく、前記支柱の中空の横幅は前記モータ電線の３〜５倍であるという構成にしてもよい。
【００１８】
これにより、羽根の上下動に合わせて、スムースにモータ電線の自重による下方への弛みと上方への引き出しが可能となる。
【００１９】
また、本発明は、表示ケースの背面から突出すると共に鉛直方向へ伸びる板形状のガイドを備え、前記ガイドの鉛直方向の寸法は、前記表示ケースの鉛直方向の寸法と実質同じであるという構成にしてもよい。
【００２０】
これにより、表示ケースの位置決めが容易という効果を奏する。
【００２１】
また、本発明は、前記上支柱部の下部にフランジを備え、前記フランジは、凹枠体内に摺動可能に装着され、前期凹枠体は、前記下支柱部内に内包するように備えられ、前記凹枠体の下端には、停止壁を備え、前記停止壁と前記表示ケースの反床面側の壁を接触させた構成にしてもよい。
【００２２】
これにより、凹枠体の床面側の壁の強度を上げられるため、凹枠体に挿入されるフランジが凹枠体の床面側の壁に接触するときの衝撃により破損する可能性を低減できるという効果を奏する。
【００２３】
以下、本発明の実施の形態について図面を参照しながら説明する。
【００２４】
（実施の形態１）
図１乃至図４に示すように、扇風機１は、基台２と、この基台２から伸びた支柱部３と、この支柱部３に設けられた送風手段と、左右首振り手段と、上下首振り手段とからなる。
【００２５】
基台２は、円板形状で、上面には中心を通る直径方向に、縦長四角形状の窪み部（図示せず）を備えている。この窪み部には、円形の開口である孔部（図示せず）を備えている。窪み部に、支柱部３の下部が装着可能である。
【００２６】
支柱部３は、中空の下支柱部４と中空の上支柱部５とからなる。上支柱部５が下支柱部４内に上から挿入され、上下移動機構１３（たとえばリーフスプリングなど）によって、上下方向へ移動自在に装着されている。この上下動によって、送風手段が上下することにより、送風方向が上下動できる。
【００２７】
下支柱部４は、窪み部に嵌る足である第一下支柱部６と、この第一下支柱部６の上部から上方へ伸びた第二下支柱部７とからなる。
【００２８】
第一下支柱部６は、蓋つき箱形状で、板形状の下支柱上蓋部８と、上方に開口した椀形状の底蓋である下支柱下蓋部９とからなる。下支柱上蓋部８と下支柱下蓋部９とは、ねじにより固定できる。
【００２９】
下支柱上蓋部８の上面から第二下支柱部７が一体で形成され伸びている。第二下支柱部７は、上下方向が軸方向である四角筒形状で、この第二下支柱部７内と第一下支柱部６内とは連通している。
【００３０】
下支柱下蓋部９の下面には、下方へ突出した円柱形状の円柱部１０を備えている。この円柱部１０の周面にはネジが切られ、この部分が雄ねじとなる。
【００３１】
基台２の窪み部へ、第一下支柱部６を嵌め込むと、下支柱下蓋部９のねじ切りされた円柱部１０が基台２の孔部に挿入される。円柱部１０にナット１２で固定すると、このナット１２と第一下支柱部６とが基台２の窪み部を挟み込み固定される。
【００３２】
上支柱部５は、上下方向が軸方向である四角筒形状で、上端には上方へ開口した椀形状の固定カバー１４を装着している。この固定カバー１４内には、軸方向が上下方向である円筒形状のネックピース１５を備えている。このネックピース１５には、後述する軸方向が上下方向である円柱形状の枢軸１６が回動自在に装着される。ネックピース１５には、ネックピース１５から径方向に伸びたリンク装着部１７を備えている。
【００３３】
図５乃至図８に示すように送風手段は、羽根部１８と、モータ部２２と、モータホルダー２３と、モータカバー２４とからなる。
【００３４】
羽根部１８は、軸流タイプの羽根１９と、この羽根１９の前面側を覆う羽根カバーであるフロントガード２０と、羽根１９の後側を覆うリアガード２１とからなる。フロントガード２０とリアガード２１とは嵌め込み式で連結する。羽根１９は、モータ部２２によって回転する。
【００３５】
モータ部２２は、モータホルダー２３に装着されている。
【００３６】
モータ部２２は、モータ２５と、モータカバーインナー２６と、モータフロントプレート２７とからなる。
【００３７】
モータ２５は、駆動軸２８を有し、この駆動軸２８は、扇風機１の前面側であるモータ２５の前面から、扇風機１の前面側へ水平に伸び、この先端に羽根１９が固定されている。
【００３８】
モータフロントプレート２７は、中央にはモータ２５の駆動軸２８を挿入できる開口２９を備え、左右両端から後方へ伸びた回転支持部３０を備えている。モータフロントプレート２７は、モータカバーインナー２６の扇風機１の前面側に、ねじにより固定される。
【００３９】
モータホルダー２３は、プレート３１と、枢軸１６と、Ｕ字体３２と、固定部３３とからなる。
【００４０】
プレート３１は、扇風機１における前後方向へ長い四角形状の金属の平板である。プレート３１の扇風機１における前側で下面には、下面から下方へ伸びた枢軸１６を有する。このプレート３１は、扇風機１における前側でプレート３１の長手辺の両端面から上方へ伸びた２枚のＵ字体３２と、扇風機１における後側でプレート３１の長手辺の一方側端面から上方へ伸びた固定部３３とを備えている。
【００４１】
モータホルダー２３は、Ｕ字体３２の先端の孔と、モータフロントプレート２７の回転支持部３０に設けた孔とを、軸支３４、軸支３５により回転可能に連結している。
【００４２】
モータカバー２４は、横筒状で、下方と一側面が開口し、２分割された半割のモータカバーフロント３６とモータカバーリア３７をモータ部２２にネジ等で連結固定される。
【００４３】
図９乃至図１０に示すように左右首振り手段は、ステッピングモータ３８と、クランク３９と、リンク４０とを備えている。ステッピングモータ３８は、プレート３１に固定されている。ステッピングモータ３８の回転軸は、ステッピングモータ３８から下方へ伸び、この回転軸にクランク３９が装着されている。このクランク３９には、リンク４０の一端側が回動自在に装着され、リンク４０の他端側は、固定カバー１４のリンク装着部１７に回動自在に装着される。
【００４４】
上下首振り手段は、ステッピングモータ４１と、クランク４２と、リンク４３とを備えている。ステッピングモータ４１は、モータカバーインナー２６に固定され、ステッピングモータ４１の回転軸は、ステッピングモータ４１から扇風機１における一方側の側方に伸び、この回転軸にクランク４２が装着されている。このクランク４２には、リンク４３の一端側が回動自在にネジなどで固定する。リンク４３の他端側は、モータホルダー２３の固定部３３に回動自在に装着される。
【００４５】
モータカバー２４はモータ部２２と、上下首振り手段とを内包し、下方の開口４４と一側面４５の開口４６がつながって連続して開口している。
【００４６】
モータカバーロウ４７は、上端と下端が開口し、２分割された半割の前モータカバーロウ４８と後モータカバーロウ４９をモータホルダー２３にネジ等で連結固定され、左右首振り手段とネックピース１５とを内包する。
【００４７】
モータ部２２と、羽根１９と、送風方向の左右方向の首振りを行う左右首振り手段と、送風方向の上下方向の首振りを行う上下首振り手段は、支柱部３の上端で支持されている。
【００４８】
図１１乃至図１５に示すように表示ケース部５０は、表示ケース５１と、基板部５２とからなる。
【００４９】
表示ケース５１は、縦長箱形状で、扇風機１における前面には、複数の開口を有し、扇風機１における背面側には、長辺の両端部から突出すると共に鉛直方向へ伸びる板形状のガイド５３を備えている。すなわち、複数のガイド５３の間、つまり下支柱部４の内面との間には、空間である電線空間部５４を備えている。表示ケース５１の材質としてはＡＢＳ、ＰＰである。
【００５０】
基板部５２は、表示ケース５１内に固定された基板５５と、この基板に装着された複数のＬＥＤランプ等の発光体５６と、この発光体５６と電気的に接続され電力供給電線５７とからなる。電力供給電線５７は、運転オンオフ、送風を強、中、弱等にする運転状態を制御する制御部５９とも電気的につながっている。ここで、表示ケース５１内に基板５５が固定されると、表示ケース５１の複数の開口６９には、ＬＥＤランプ等の発光体５６が嵌る構成である。
【００５１】
下支柱部４の正面に、化粧パネル６０の運転表示部６１が貼り付けられており、光が透過する複数の窓６２とその複数の窓６２の一つ一つに対応して、電源、タイマー、送風状態を表す強、中、弱、あるいは／および上下首振、すなわち垂直方向首振、左右首振、すなわち水平方向首振などの運転状態を表す文字が印刷等で表示され、対応する運転状態が表示されている。
【００５２】
化粧パネル６０の材質としてはＡＢＳ、ＰＰなどがあり、窓６２以外に化粧シート全体が透明であっても良い。下支柱部４正面の運転表示部６１の運転状態、運転モードを表す文字が近傍に記載された複数の光を透過する窓６２と、表示ケース５１の開口６９と、発光ダイオード等の発光体５６とは１対１で対応している。
【００５３】
ＬＥＤは光照射に指向性があり、他の窓６２への光の漏れが少なく、光の漏れによる他の窓６２が明るくなり難く、誤認識がより少なくなり、より良い。
【００５４】
表示ケース５１を中空筒状の第二下支柱部７の開口６３から挿入し、表示ケース５１のネジ止め６６と、下支柱部４の当てであるネジボス６７によりネジ固定および位置決めされる。
【００５５】
発光体５６の光が透過し運転状態を表す複数の窓６２とは１対１で対応するように位置決めされているため、表示ケース５１を簡単に、挿入し、位置決めし、挿入側から下支柱部４に固定ができる。
【００５６】
モータに電力を供給するモータ電線６８は、柔らかく自重で曲がり易いように、軟銅線などのより線をＰＶＣなどの絶縁材で被覆されている。被覆された絶縁材表面を滑り易いように、滑りを良くする滑り剤を塗布、例えば、グリスで表面塗布処理されている。
【００５７】
モータ電線６８は、基板５５と制御部５９とに連結され、電線空間部５４で収納され、上支柱部５の上下動による電線空間部５４で、自重で下方に垂れ下がっての収納、または上方への引き出しがし易くなっている。モータ電線６８の寸法としては、略φ８〜１２程度であり、例えば略φ１０ｍｍである。
【００５８】
電線空間部５４の奥行きＬ１は、上下動する上支柱部５の下限時に、自重で垂れ下がって重ならない程度であり、例えば、モータ電線６８をφ１０ｍｍ程度とすると、モータ電線６８の直径寸法より大きく、モータ電線６８の直径の２倍の寸法より小さい程度であり、奥行きＬ１＝略１２〜１７ｍｍ程度である。
【００５９】
電線空間部５４の横幅Ｌ２としては、上下動する上支柱部５の下限時に、自重で垂れ下がって、Ｓ字を描ける程度であり、モータ電線が３本以上程度入る程度、モータ電線６８の直径の３〜５倍であり、横幅Ｌ２＝略３０〜５０ｍｍ程度である。
【００６０】
モータ電線６８は、中空状の下支柱の第一下支柱部６内から中空状の下支柱部４内を自重で弛んだ状態から略垂直方向に上に伸びて上支柱部５に連結している。
【００６１】
ガイド５３の鉛直方向の寸法は、表示ケース５１の鉛直方向の寸法と実質同じである。これにより、表示ケース５１の位置決めが容易なる。
【００６２】
本実施例によれば、表示ケース５１を第二下支柱部７の開口６３から第二下支柱部７の中空内に挿入し、下支柱部４のネジボス６７と、表示ケース５１のネジ止め６６とで固定することにより、表示ケース５１の挿入側から表示ケース５１の位置決めと固定とができ、また、表示ケース５１の複数の開口６９と、複数の発光体５６と、運転表示部６１の複数の開口６３とは、それぞれ１対１で対応しているため、組み立て作業性の良い扇風機１を提供できることとなる。
【００６３】
また、上支柱部５の上下動、すなわち上支柱部５の上下動に合わせて、スムースなモータ電線６８の自重による下方への弛みと上方への引き出しが可能になる。
【００６４】
（実施の形態２）
図１６および図１７において、図１から図１５と同様の構成要素については同一の符号を付し、その詳細な説明は省略する。
【００６５】
上下移動機構１３を用いた上支柱部５の上下移動について、図１６および図１７を用いて詳細に説明する。
【００６６】
図１６に示すように、上支柱部５の下部には、フランジ７０がツメなどの勘合により固定されている。
【００６７】
フランジ７０は、上下移動機構１３を支持する上下移動機構支持部７１と、ガイドレール支持部７２とを備えている。フランジ７０は、凹枠体７３内に摺動可能に装着されている。
【００６８】
凹枠体７３の水平断面形状は、前面側が開口したコの字形状で、対向した側面には、ガイドレール７４を備え、下端には、水平面である停止壁７５を備えている。フランジ７０のガイドレール支持部７２は、ガイドレール７４と嵌合する。フランジ７０は、凹枠体７３内に、ガイドレール７４に沿ってスライドしながら挿入することができる。凹枠体７３は、下支柱部４内に内包するように備えられ、凹枠体７３は、下支柱部４である第二下支柱部７にツメなどの勘合により固定されている。
【００６９】
フランジ７０の上下移動機構支持部７１には、上下移動機構１３として、例えばここではリーフスプリングを備え、リーフスプリングのバネ張力の変化を利用して、フランジ７０はガイドレール７４に沿ってスライドするため、フランジ７０に勘合した上支柱部５もスライドすることになる。
【００７０】
リーフスプリングの張力変化としては、扇風機１を床に置いて、上支柱部５を手動で床方向に押し込むと張力が蓄えられる。その蓄えられた張力を利用して、上支柱部５は床と反対方向に押し出される。
【００７１】
図１７に示すように、上支柱部５を床面方向に押し込むとき、すなわちフランジ７０を凹枠体７３のガイドレールに沿ってスライドさせるとき、停止壁７５が床面方向の端部となり、このときフランジ７０が停止壁７５に接触している。
【００７２】
また、表示ケース５１の床面と反対側の壁を停止壁７５と接触させるように備えている。
【００７３】
このような構成によれば、上支柱部５を床面方向に押し込むとき、フランジ７０が停止壁７５に接触する際の衝撃は停止壁７５で受けることになるが、表示ケース５１の床面と反対側の端部によっても停止壁７５は支持されることにより、停止壁７５の強度を上げることができる。これにより、上支柱部５のスライド操作が乱暴に行われた場合（例えば、子供の悪戯など）にあっても、停止壁７５が破壊される可能性を抑制することができる。
【産業上の利用可能性】
【００７４】
本発明にかかる扇風機は、表示ケースの支柱内挿入、固定時に組み立て作業性の良い扇風機を提供するものであり、空調機器等に使用される表示ケース等の挿入、内臓時に組み立て作業性の良くするものとして有用である。
【符号の説明】
【００７５】
１  扇風機
２  基台
３  支柱部
４  下支柱部
５  上支柱部
６  第一下支柱部
７  第二下支柱部
８  下支柱上蓋部
９  下支柱下蓋部
１０  円柱部
１２  ナット
１３  上下移動機構
１４  固定カバー
１５  ネックピース
１６  枢軸
１７  リンク装着部
１８  羽根部
１９  羽根
２０  フロントガード
２１  リアガード
２２  モータ部
２３  モータホルダー
２４  モータカバー
２５  モータ
２６  モータカバーインナー
２７  モータフロントプレート
２８  駆動軸
２９  開口
３０  回転支持部
３１  プレート
３２  Ｕ字体
３３  固定部
３４  軸支
３５  軸支
３６  モータカバーフロント
３７  モータカバーリア
３８  ステッピングモータ
３９  クランク
４０  リンク
４１  ステッピングモータ
４２  クランク
４３  リンク
４４  開口
４５  一側面
４６  開口
４７  モータカバーロウ
４８  前モータカバーロウ
４９  後モータカバーロウ
５０  表示ケース部
５１  表示ケース
５２  基板部
５３  ガイド
５４  電線空間部
５５  基板
５６  発光体
５７  電力供給電線
５９  制御部
６０  化粧パネル
６１  運転表示部
６２  窓
６３  開口
６６  ネジ止め
６７  ネジボス（当て）
６８  モータ電線
６９  開口
７０  フランジ
７１  上下移動機構支持部
７２  ガイドレール支持部
７３  凹枠体
７４  ガイドレール
７５  停止壁
Ｌ１  奥行き
Ｌ２  横幅
【図１】
2014206157.tif 000003
【図２】
2014206157.tif 000004
【図３】
2014206157.tif 000005
【図４】
2014206157.tif 000006
【図５】
2014206157.tif 000007
【図６】
2014206157.tif 000008
【図７】
2014206157.tif 000009
【図８】
2014206157.tif 000010
【図９】
2014206157.tif 000011
【図１０】
2014206157.tif 000012
【図１１】
2014206157.tif 000013
【図１２】
2014206157.tif 000014
【図１３】
2014206157.tif 000015
【図１４】
2014206157.tif 000016
【図１５】
2014206157.tif 000017
【図１６】
2014206157.tif 000018
【図１７】
2014206157.tif 000019